(57)【要約】【課題】画像記録媒体の読取用露光装置において、直線状に集光された読取光の焦点深度を浅くすることなく、線幅を狭くする。【解決手段】各ＬＥＤチップ１０１ａ，１０１ｂ…から出力された光は、スリット１０２の開口１０２ａで、各ＬＥＤの発光像が制限され、シリンドリカルレンズ１０４　および１０５　によりＹ方向に集光されて静電記録体１０上に直線状に照射される。各ＬＥＤチップ１０１ａ，１０１ｂ，…は、Ｙ方向に４５度傾けて配置されているため、シリンドリカルレンズ１０４　および１０５　から見たＬＥＤチップの発光面の形状は、１６０μｍ（Ｘ方向）×１１４μｍ（Ｙ方向）となる。すなわち、ＬＥＤチップ本来大きさ１６０μｍ×１６０μｍであるが、Ｙ方向に４５度傾けて配置されているため。Ｙ方向の見かけ上の大きさは、１１４μｍとなる。このため静電記録体１０上に集光された読取光Ｌの理論的な最小線幅は、約１１４μｍとなる。【選択図】　　　　　図２
2004104227.tif 000002
【特許請求の範囲】
【請求項１】
画像情報が予め記録された画像記録媒体を読取光で走査露光することにより前記画像情報を読み取る際に、前記画像記録媒体に対して前記読取光を露光せしめる読取用露光装置であって、
直線状に列設された多数の発光素子を有するライン光源と、
前記各発光素子から射出された読取光を、該発光素子の列設方向に直交する方向に集束させる光学手段とを備え、
前記発光素子が、前記光学手段の光軸に対して、前記発光素子の列設方向に直交する方向に±３０度以上の傾斜角で傾斜させて配置され、かつ前記発光素子の発光面の法線に対して、該発光素子の列設方向に直交する方向に前記傾斜角以上の配光角を有するものであることを特徴とする読取用露光装置。
【請求項２】
前記発光素子が、ＬＥＤであることを特徴とする請求項１記載の読取用露光装置。
【請求項３】
前記画像記録媒体が、画像情報を静電潜像として記録し、前記読取光で走査露光されることにより、前記静電潜像に応じた電流を発生する静電記録体であることを特徴とする請求項１または２記載の読取用露光装置。
【請求項４】
前記画像記録媒体が、画像情報を蓄積記録し、前記読取光で走査露光されることにより、前記画像情報に応じた輝尽発光光を発生する蓄積性蛍光体あることを特徴とする請求項１または２記載の読取用露光装置。
【発明の詳細な説明】
【０００１】
【発明の属する技術分野】
本発明は、画像記録媒体の読取用露光装置に関し、詳細には、画像情報が予め記録された画像記録媒体を読取光で走査露光することにより前記画像情報を読み取る際に、前記画像記録媒体に対して前記読取光を露光せしめる読取用露光装置に関するものである。
【０００２】
【従来の技術】
従来より、医療用Ｘ線撮影において、被験者が受ける被爆線量の減少、診断性能の向上等のために、Ｘ線に感応する例えばａ−Ｓｅから成るセレン板等の光導電体を静電記録体として用い、この静電記録体に放射線画像情報を担持するＸ線等の放射線を照射して、放射線画像情報を担持する潜像電荷を静電記録体に蓄積せしめ、その後レーザビームで静電記録体を走査することにより静電記録体内に生じる電流を静電記録体両側の平板電極あるいはストライプ電極を介して検出することにより、潜像電荷が担持する静電潜像、すなわち放射線画像情報を読み取るシステムが知られている（例えば特許文献１、特許文献２、特許文献３および非特許文献１参照）。
【０００３】
また、本出願人は、記録用の放射線に対して透過性を有する第１の導電体層、記録用の放射線の照射を受けることにより光導電性を呈する記録用光導電層、第１の導電体層に帯電される電荷と同極性の電荷に対しては略絶縁体として作用し、かつ、該電荷と逆極性の電荷に対しては略導電体として作用する電荷輸送層、読取光の照射を受けることにより光導電性を呈する読取用光導電層、読取光に対して透過性を有する第２の導電体層を、この順に積層して成る静電記録体および放射線画像情報が記録されたこの静電記録体から放射線画像情報を読み取る読取装置を提案している（例えば特許文献４参照）。
【０００４】
この特許文献４に記載された読取装置は、光源から発せられた読取光で静電記録体を走査して、静電記録体に記録された静電潜像を読み取るものである。読取光を出力する光源である読取用露光装置としては、レーザビーム等のスポット光を主副走査露光させるスポット光露光手段や、ライン光を副走査露光させるライン光露光手段等を用いたもの等が挙げられている。また、ライン光源としては、例えば多数の発光素子が線状に並べられたものが挙げられている。
【０００５】
上記多数の発光素子が線状に並べられたライン光源の一つとして、ＬＥＤをアレイ状に並べたライン光源を用いる方法が知られている（例えば特許文献５参照）。ＬＥＤは入力エネルギーに対する光出力の効率が高く、またレーザー等に比べコストを抑えることができる。このようなライン光源を用いた場合には、ＬＥＤから射出された光をＬＥＤの列設方向と平行に配されたシリンドリカルレンズ等により静電記録体上に直線状に集光し副走査露光して画像情報の読み取りを行う。
【０００６】
ライン光源を用いた読取用露光装置２００　の一例を図８に示す。図８（Ａ）は、読取用露光装置２００　をＹ方向（発光素子の列設方向に直交する方向）からみた側面図であり、図８（Ｂ）は、読取用露光装置２００　のＸ−Ｙ断面図である。この読取用露光装置２００　は、複数の面発光型のＬＥＤチップ２０１ａ，２０１ｂ，２０１ｃ…が直線状に列設されたライン光源２０１　と、該ライン光源２０１　の長手方向に延びる開口１０２ａを有するスリット１０２と、該スリット１０２　を通過した読取光Ｌをガラス基板６上に設けられた静電記録体１０上に結像させるシリンドリカルレンズ１０４　および１０５　とから構成されている。スリット１０２は、ライン光源２０１　のＬＥＤの発光像を制限する視野絞りである。各ＬＥＤチップ２０１ａ，２０１ｂ，２０１ｃ…の発光像はスリット１０２　で制限され、シリンドリカルレンズ１０４　および１０５　によりＹ方向に集束されて静電記録体１０上に照射される。各ＬＥＤチップから射出された読取光Ｌは、ＬＥＤチップの列設方向であるＺ方向については集束されていないため、静電記録体１０を線上に照射することになる。
【０００７】
【特許文献１】
米国特許第　４１７６２７５号明細書
【０００８】
【特許文献２】
米国特許第　５４４０１４６号明細書
【０００９】
【特許文献３】
米国特許第　５５１０６２６号明細書
【００１０】
【特許文献４】
特開２０００−１０５２９７号公報
【００１１】
【特許文献５】
特開２００１−２９０２２８号公報
【００１２】
【非特許文献１】
“Ａ　Ｍｅｔｈｏｄ　ｏｆ　Ｅｌｅｃｔｒｏｎｉｃ　Ｒｅａｄｏｕｔ　ｏｆ　Ｅｌｅｃｔｒｏｐｈｏｔｏｇｒａｐｈｉｃ　ａｎｄ　Ｅｌｅｃｔｒｏｒａｄｉｏｇｒａｐｈｉｃ　Ｉｍａｇｅ”；Ｊｏｕｒｎａｌ　ｏｆ　Ａｐｐｌｉｅｄ　ｐｈｏｔｏｇｒａｐｈｉｃ　Ｅｎｇｉｎｅｅｒｉｎｇ　Ｖｏｌｕｍｅ
４，Ｎｕｍｂｅｒ　４，Ｆａｌｌ　１９７８　Ｐ１７８〜Ｐ１８２
【００１３】
【発明が解決しようとする課題】
一般に、画像情報を読み取る際の読取り特性は、直線状に集光された読取光のプロファイル、特に光強度と光源の長手方向と垂直な方向の線幅（以後、線幅と記載）とに依存している。すなわち、集光された読取光の光強度は大きく、線幅はできる限り狭いことが望ましい。特に、マンモグラフィー等においては、高い解像度を有する画像情報が必要であり、線幅をより狭くすることが強く望まれている。
【００１４】
線幅を狭くする方法としては、例えば集光光学系の倍率を小さくする方法があるが、焦点深度が浅くなってしまい、焦点外れを起こしやすくなるという問題が生じる。
【００１５】
本発明は、上記の問題に鑑みてなされたものであり、焦点深度を浅くすることなく、線幅を狭くすることのできる画像記録媒体の読取用露光装置を提供することを目的とする。
【００１６】
【課題を解決するための手段】
本発明の画像記録媒体の読取用露光装置は、画像情報が予め記録された画像記録媒体を読取光で走査露光することにより前記画像情報を読み取る際に、前記画像記録媒体に対して前記読取光を露光せしめる読取用露光装置であって、直線状に列設された多数の発光素子を有するライン光源と、前記各発光素子から射出された読取光を、該発光素子の列設方向に直交する方向に集束させる光学手段とを備え、前記発光素子が、前記光学手段の光軸に対して、前記発光素子の列設方向に直交する方向に±３０度以上の傾斜角で傾斜させて配置され、かつ前記発光素子の発光面の法線に対して、該発光素子の列設方向に直交する方向に前記傾斜角以上の配光角を有するものであることを特徴とするものである。上記発光素子は、ＬＥＤであってもよい。
【００１７】
なお、発光素子の「配光角」とは、画像情報を読み取る際に、使用に耐えうる光量の光を発している角度である。
【００１８】
上記画像記録媒体は、画像情報を静電潜像として記録し、前記読取光で走査露光されることにより、前記静電潜像に応じた電流を発生する静電記録体であってもよい。また上記画像記録媒体は、画像情報を蓄積記録し、前記読取光で走査露光されることにより、前記画像情報に応じた輝尽発光光を発生する蓄積性蛍光体であってもよい。
【００１９】
なお、上記において「読取光」とあるのは、赤外光、可視光あるいは紫外光等のいわゆる光に限定されるものではなく、記録された画像情報を読み出す際に利用可能な電磁波であれば如何なる波長のものであってもよい。すなわち、画像記録媒体が静電記録体である場合には、「静電潜像」を読み取るに際して使用し得るものであればいかなる波長のものであってもよく、画像記録媒体が蓄積性蛍光体である場合には、輝尽発光光を発光せしめる励起光として作用するものであればいかなる波長のものであってもよい。
【００２０】
【発明の効果】
本発明の画像記録媒体の読取用露光装置によれば、発光素子が、光学手段の光軸に対して、発光素子の列設方向に直交する方向に±３０度以上の傾斜角で傾斜させて配置され、かつ発光素子の発光面の法線に対して、該発光素子の列設方向に直交する方向に前記傾斜角以上の配光角を有するため、集光された読取光の線幅を狭くすることができる。
【００２１】
以下具体的な例を上げて説明する。発光面の形状が１６０μｍ（発光素子の列設方向の長さ）×１６０μｍ（発光素子の列設方向に直交する方向の長さ）である発光素子から発せられた光を等倍結像系を用いて、集光して読取光として使用する場合、集光位置における理論的な最小線幅は１６０μｍとなる。これは等倍結像系では、光源の大きさ以下に光を集光することはできないためである。
【００２２】
一方、この光学素子を集光用の光学手段の光軸に対して、発光素子の列設方向に直交する方向に４５度傾けた配置した場合には、光学手段から見たこの発光面の形状は、１６０μｍ（発光素子の列設方向の長さ）×１６０μｍ・（１／１．４１）（発光素子の列設方向に直交する方向の長さ）となる。したがって、発光面の発光素子の列設方向に直交する方向の長さは、見かけ上約１１４μｍとなる。このため集光された読取光の理論的な最小線幅は、約１１４μｍとなり、焦点深度を浅くすることなく、線幅を狭くすることができる。すなわち、発光素子を傾けることにより、線幅を狭くすることができる。また発光素子を傾斜角±３０度以上傾けることにより、十分に線幅を狭くすることができる。
【００２３】
前記発光素子が、ＬＥＤチップであれば、ＬＥＤチップの配光角は広く、配光特性の角度依存性が小さいため、発光素子を傾けても、十分な光量を得ることができる。
【００２４】
【発明の実施の形態】
以下、図面を参照して本発明の実施の形態について説明する。図１に示すのは、本発明の一実施形態の読取用露光装置１００　を利用した放射線画像読取システムの概略構成図である。図１（Ａ）は斜視図、図１（Ｂ）はＸ−Ｚ断面図である。図１に示すように、このシステムは、ガラス基板６上に形成された静電記録体１０と、画像読取時に該静電記録体１０に対して読取光Ｌを照射する読取用露光装置１００　と、読取光Ｌの走査により静電記録体１０から流れ出る電流を検出する電流検出手段５０とを備えてなる。
【００２５】
画像記録媒体である静電記録体１０は、放射線画像情報を静電潜像として記録し、読取光で走査されることにより前記静電潜像に応じた電流を発生するものであり、具体的には、記録用の放射線（例えば、Ｘ線等。以下「記録光」と称す。）に対して透過性を有する第１の導電体層１１、記録光の照射を受けることにより導電性を呈する記録用光導電層１２、第１の導電体層１１に帯電される電荷（潜像極性電荷；例えば負電荷）に対しては略絶縁体として作用し、かつ、該電荷と逆極性の電荷（輸送極性電荷；上述の例においては正電荷）に対しては略導電体として作用する電荷輸送層１３、読取光の照射を受けることにより導電性を呈する読取用光導電層１４、読取光に対して透過性を有する第２の導電体層１５が積層してなるものである。第２の導電体層１５は、図中斜線で示すように多数のエレメント（線状電極）１５ａ　が画素ピッチでストライプ状に配されたストライプ電極とされている。
【００２６】
電流検出手段５０は第２の導電体層１５の各エレメント１５ａ　毎に接続された多数の電流検出アンプ５１を有しており、読取光の露光により各エレメント１５ａ　に流れる電流をエレメント１５ａ　毎に並列的に検出するものである。静電記録体の第１の導電体層１１は接続手段５２の一方の入力および電源５３の負極に接続されており、電源５３の正極は接続手段５２の他方の入力に接続されている。図示していないが、接続手段５２の出力は各電流検出アンプ５１に接続されている。電流検出アンプ５１の構成の詳細については、本発明の要旨に関係がないのでここでは説明を省略するが、周知の構成を種々適用することが可能である。なお、電流検出アンプ５１の構成によっては、接続手段５２および電源５３の接続態様が上記例とは異なるものとなるのは勿論である。
【００２７】
以下上記構成の放射線画像読取システムの作用について説明する。静電記録体に静電潜像を記録する際には、先ず接続手段５２を電源５３に切り替え、第１の導電体層１１と第２の導電体層１５の各エレメント１５ａ　との間に直流電圧を印加し両導電体層を帯電させる。これにより静電記録体内の第１の導電体層１１とエレメント１５ａ　との間に、エレメント１５ａ　をＵ字の凹部とするＵ字状の電界が形成される。
【００２８】
次に記録光を不図示の被写体に爆射し、被写体を透過した記録光、すなわち被写体の放射線画像情報を担持する放射線を静電記録体に照射する。すると、静電記録体の記録用光導電層１２内で正負の電荷対が発生し、その内の負電荷が上述の電界分布に沿ってエレメント１５ａ　に集中せしめられ、記録用光導電層１２と電荷輸送層１３との界面に負電荷が蓄積される。この蓄積される負電荷（潜像電荷）の量は照射放射線量に略比例するので、この潜像電荷が静電潜像を担持することとなる。このようにして静電潜像が静電記録体に記録される。一方、記録用光導電層１２内で発生する正電荷は第１の導電体層１１に引き寄せられて、電源５３から注入された負電荷と電荷再結合し消滅する。
【００２９】
静電記録体から静電潜像を読み取る際には、先ず接続手段５２を静電記録体の第１の導電体層１１側に接続する。
【００３０】
読取用露光装置１００　から出力されるライン状の読取光Ｌがガラス基板６および静電記録体の導電体層１５の各エレメント１５ａ　を透過する。すると、光導電層１４内に正負の電荷対が発生し、その内の正電荷が記録用光導電層１２と電荷輸送層１３との界面に蓄積された負電荷（潜像電荷）に引きつけられるように電荷輸送層１３内を急速に移動し、記録用光導電層１２と電荷輸送層１３との界面で潜像電荷と電荷再結合し消滅する。一方、読取用光導電層１４に生じた負電荷は電源５３から導電体層１５に注入される正電荷と電荷再結合し消滅する。このようにして、静電記録体に蓄積されていた負電荷が電荷再結合により消滅し、この電荷再結合の際の電荷の移動による電流が静電記録体内に生じる。各エレメント１５ａ　毎に接続された電流検出アンプ５１により、この電流を各エレメント１５ａ　毎に並列的に検出する。読取りの際に静電記録体内を流れる電流は、潜像電荷すなわち静電潜像に応じたものであるから、この電流を検出することにより静電潜像を読み取ることができる。なお、読取用露光装置１００　は図中矢印方向に走査露光するものであり、これにより静電記録体１０の全面露光がなされる。
【００３１】
次に、放射線画像読取システムに適用された、本発明の一実施形態にかかる読取用露光装置１００　を図２に示してその構成と作用を説明する。図２（Ａ）は、図１に示す読取用露光装置１００　の詳細な構成を示したＹ方向（ＬＥＤチップの列設方向と直交する方向）からみた側面図であり、図２（Ｂ）は、読取用露光装置１００　のＸ−Ｙ断面図である。なお、Ｘ方向は読取光Ｌの進行方向であり、Ｚ方向はＬＥＤチップの列設方向である。
【００３２】
図２に示すように、読取用露光装置１００　は、Ｚ軸方向に線状に並べられている複数のＬＥＤチップ１０１ａ，１０１ｂ，…からなるライン光源１０１　と、Ｚ方向に延びる開口１０２ａ　を有するスリット１０２と、読取光Ｌを、Ｙ方向に集束させる光学手段として機能するシリンドリカルレンズ１０４および１０５　とからなるものである。なおシリンドリカルレンズ１０４および１０５　は、等倍結像光学系を構成するものである。
【００３３】
各ＬＥＤチップ１０１ａ，１０１ｂ，…は、発光面の形状が１６０μｍ×１６０μｍの正方形であり、各辺が隣接するように一列に配置されている。また各ＬＥＤチップ１０１ａ，１０１ｂ，…は、シリンドリカルレンズ１０４および１０５の光軸に対して、Ｙ方向に傾斜角θが４５度となるように傾けて配置されている。
【００３４】
また、スリット１０２　は、ライン光源１０１　のＬＥＤの発光像を制限する視野絞りである。なお、スリット１０２　は、各ＬＥＤチップ１０１ａ，１０１ｂ，…の発光像を制限するものであればよく、本実施形態のような開口を有する機械的なスリットのみならず、濃度分布フィルタ等の光学的な隙間であってもよい。
【００３５】
各ＬＥＤチップ１０１ａ，１０１ｂ，…の発光像は、スリット１０２　の開口１０２ａで制限され、シリンドリカルレンズ１０４　および１０５　によりＹ方向に等倍に結像されて静電記録体１０上に照射される。なお、ＬＥＤチップの配光角は通常非常に広い。図３に一般的なＬＥＤチップの配光特性の一例を示す。このＬＥＤチップでは、発光面の法線（図３における０度）に対して、−８０〜＋７６度の配光角を有している。各ＬＥＤチップから射出された光は等方的に広がって拡散し、Ｚ方向については集束されていないため、図２に模式的に示すように、各ＬＥＤチップからの光は静電記録体上でＺ方向に拡散する。これによりライン光源１０１　からの光は静電記録体１０上を線状に照射することとなる。
【００３６】
各ＬＥＤチップ１０１ａ，１０１ｂ，…は、Ｙ方向に傾斜角θが４５度となるように傾けて配置されているため、シリンドリカルレンズ１０４　および１０５　から見たＬＥＤチップの発光面の形状は、１６０μｍ（Ｘ方向の長さ）×１１４μｍ（Ｙ方向の長さ）となる。すなわち、ＬＥＤチップ本来大きさ１６０μｍ×１６０μｍであるが、Ｙ方向に４５度傾けて配置されているため。Ｙ方向の見かけ上の大きさは、１６０・（１／１．４１）μｍ≒１１４μｍとなる。このため静電記録体１０上に集光された読取光Ｌの理論的な最小線幅は、約１１４μｍとなる。すなわち焦点深度を浅くすることなく、線幅を狭くすることができる。
【００３７】
また、前述したようにＬＥＤチップ１０１ａ，１０１ｂ，…の配光角は広く、配光特性の角度依存性が小さいため、ＬＥＤチップ１０１ａ，１０１ｂ，…を４５度傾けても、十分な光強度を有する読取光Ｌを得ることができる。なお、ＬＥＤチップ１０１ａ，１０１ｂ，…を傾けることにより、ＬＥＤチップ１０１ａ，１０１ｂ，…から発せられる読取光Ｌの射出位置がＸ方向にバラツキ、このためＸ方向の結像位置にバラツキが生じるが、通常、結像光学系の焦点距離に比べて、結像位置のバラツキ量は非常に小さいため、その影響はほとんどない。
【００３８】
また、上述の読取用露光手段１００　において、図４に示すようにスリット１０２　に加え図５に示すようなＬＥＤチップの配値ピッチと等間隔にピンホールが形成されているピンホールアレイ１０３　を設けてもよい。図４においては、図２と同等の要素には同符合を付し特に必要のないかぎり説明は省略する。このようにピンホールアレイ１０３　を設けた場合には、各ＬＥＤチップ１０１ａ，１０１ｂ，…からの光のＺ方向の広がり角が、このピンホイールアレイ１０３　で制限される。
【００３９】
上述したように、ＬＥＤチップの配光角が広いため、通常１つのＬＥＤチップから発せられた読取光Ｌは非常に広い範囲の照射範囲（直線状）を有するが、ピンホールアレイ１０３　を備える場合には、読取光ＬのＺ方向の広がり角が狭まっているため、１つのＬＥＤチップから射出された光による照射範囲は、従来の数分の１から数十分の１の範囲となる。このため、静電記録体１０の中央部分の１つの照射点に対応するＬＥＤチップの個数が、従来に比べて減少し、静電記録体１０の端部近傍の照射点においても、静電記録体１０の中央部分と同様な光強度を得ることができる。すなわち、直線状に集光された読取光Ｌにおいて、ＬＥＤチップの列設方向における光強度の均一度が向上し、読み出された画像情報の信頼度が向上する。また、筐体で反射される読取光Ｌが低減するため、フレア光が減少し、読み出された画像情報の鮮鋭度が向上する。
【００４０】
さらに、一般に１点から射出され、Ｚ方向に広がる読取光Ｌをシリンドリカルレンズ１０４　および１０５　によりＹ方向に集光する場合、射出角度により集光位置が異なる。例えば焦点上に静電記録体１０が配置されていれば、射出角が０度であれば、静電記録体１０上で合焦するが、射出角が異なる場合には、合焦位置も異なる。このため、静電記録体１０上には、合焦している光と、合焦していない光が混在することとなり、直線状に集光された読取光Ｌの線幅（Ｙ方向）が増加する。読取光ＬのＺ方向の広がり角が大きければ大きいほど、読取光Ｌの線幅は増加する。すなわち、ピンホールアレイ１０３　を設けて、読取光ＬのＺ方向の広がり角を制限することにより、静電記録体１０に直線状に集光された読取光Ｌの線幅を減少することができる。
【００４１】
なお、本発明の読取用露光装置は、画像記録媒体として、ストライプ電極を用いた静電記録体を使用したが、本発明はこれに限定されない。すなわち、読取用の電磁波で走査されることにより、放射線画像情報を坦持する静電電荷に応じた電流を発生するものであれば、どのような画像記録媒体にも適用することができる。
【００４２】
次に、本発明の読取用露光装置を適用した別の実施の形態を図６に示して説明する。図６は、本発明の読取用露光装置１００　を、蓄積性蛍光体シートから画像を読み取る画像読取システムに適用したものである。なお、図７は図６の露光装置の詳細な構成および輝尽発光光Ｍの検出部分を拡大して示した断面図である。
【００４３】
本画像読取システムは、予め放射線画像情報が蓄積記録された蓄積性蛍光体シート２１０　に対して読取光Ｌを照射せしめる本発明の読取用露光装置１００　と、該励起光Ｌの照射を受けて蓄積性蛍光体シート２１０　から発せられる輝尽発光光Ｍを集光検出する、矢印Ｘ方向に延びた光検出器２２０　と、光検出器２２０　に励起光Ｌが入射しないように光検出器２２０　の入射端面側に配された励起光カットフィルタ２２１　と、蓄積性蛍光体シート２１０　の表面側に設けられ輝尽発光光Ｍを効率よく光検出器２２０　の入射端面に導く矢印Ｘ方向に延びた集光ミラー２３０　と、蓄積性蛍光体シート２１０　を矢印Ｙ方向に搬送するベルトコンベヤであるシート搬送手段２４０　と、光検出器２２０　に接続されている図示しない信号処理部とからなる。なお、光検出器２２０　は、その長さ方向（矢印Ｘ方向）に配された複数の光電変換素子２２２　から構成されており、各光電変換素子２２２　が蓄積性蛍光体シート２１０　の対応する箇所毎（画素毎）の輝尽発光光を検出する。光電変換素子２２２　としては具体的には、アモルファスシリコンセンサ、ＣＣＤセンサ、ＭＯＳセンサ等を適用する。
【００４４】
次に本実施形態の画像読取システムの作用について説明する。読取用露光装置１００　から出力されるライン状の読取光Ｌが蓄積性蛍光体シート２１０　上に照射されるが、蓄積性蛍光体シート２１０　はシート搬送手段２４０　により矢印Ｙ方向へ移動（副走査）され、蓄積性蛍光体シート２１０　の全面に亘って読取光Ｌが照射される。
【００４５】
読取光Ｌが照射された蓄積性蛍光体シート２１０　の部分からは、そこに蓄積記録されている放射線画像情報に応じた光量の輝尽発光光Ｍが発せられる。この発光した輝尽発光光Ｍは四方へ拡散し、その一部は光検出器２２０　の入射端面に入射し、一部は集光ミラー２３０　により反射されて光検出器２２０　の入射端面に入射される。この際、輝尽発光光Ｍに僅かに混在する、蓄積性蛍光体シート２１０　表面で反射した読取光Ｌが、読取光カットフィルタ２２１　によりカットされる。光検出器２２０　に集光された輝尽発光光Ｍは各光電変換素子２２２　において増幅、光電変換されて、各光電変換素子２２２　の対応する画素の画像信号Ｓとして外部の信号処理装置に出力される。
【００４６】
なお、読取用露光装置１００　は、そのＬＥＤチップとして蓄積性蛍光体シートから輝尽発光光を発光せしめるために適切な波長の光を出力するものを備えたものとする。
【図面の簡単な説明】
【図１】本発明の読取用露光装置を利用した、静電記録体を備えた画像読取システムを示す図
【図２】本発明の実施の形態による読取用露光装置を示す図
【図３】ＬＥＤチップの配光特性を示す図
【図４】他の読取用露光装置を示す図
【図５】ピンホールアレイの概略構成図
【図６】本発明の読取用露光装置を利用した、蓄積性蛍光体シートからの画像読取システムを示す図
【図７】蓄積性蛍光体シートからの画像読取システムにおける、読取用露光装置の詳細な構成を示す断面図
【図８】従来の読取用露光装置を示す図
【符号の説明】
６　　ガラス基板
１０　　静電記録体
１１　　第１の導電体層
１２　　記録用光導電層
１３　　電荷輸送層
１４　　読取用光導電層
１５　　第２の導電体層
１５ａ　　エレメント
５０　　電流検出手段
５１　　電流検出アンプ
５２　　接続手段
５３　　電源
１００，２００　　　　読取用露光装置
１０１，２０１　　　　ライン光源
１０１ａ，１０１ｂ，…　ＬＥＤチップ
１０２　　スリット
１０３　　ピンホールアレイ
１０４，１０５　　　　シリンドリカルレンズ
２０１ａ，２０１ｂ，…　　ＬＥＤチップ
２１０　　蓄積性蛍光体シート
２２０　　光検出器
２２１　　読取光カットフィルタ
２２２　　光電変換素子
２３０　　集光ミラー
２４０　　シート搬送手段
【図１】
2004104227.tif 000003
【図２】
2004104227.tif 000004
【図３】
2004104227.tif 000005
【図４】
2004104227.tif 000006
【図５】
2004104227.tif 000007
【図６】
2004104227.tif 000008
【図７】
2004104227.tif 000009
【図８】
2004104227.tif 000010